(57)【要約】      （修正有）【課題】略円筒状の物品の保持が可能で安価な包装用緩衝部材を提供する。【解決手段】この包装用緩衝部材８０は、一枚の厚紙を打ち抜き、これを組み立てることで形成できるため、複雑な工程が不要で包装用緩衝部材８０を低コストで安価に製造することができる。また、組立て前の平らな状態で納品が可能なため嵩張らず、運搬コストの削減と保管時の省スペース化とを図ることができる。また、保持部３４の物品保持孔４０には保持片が形成されており、この保持片が物品５を押圧保持して物品５の脱落を防止することができる。さらに、本考案に係る包装用緩衝部材８０は、保持部３４がアーチ状を呈し優れたデザイン性を有するとともに、物品５の上下端が露出して物品５を容易に取り出すことができる。【選択図】図１
0003198919.tif 000002
【実用新案登録請求の範囲】
【請求項１】
包装用箱内に設置して略円筒状の物品を複数並べて保持する包装用緩衝部材において、
前記包装用箱の対向する側壁に内接する縁部と、
前記縁部間に設けられる底部と、
前記縁部間に位置し前記底部の両側辺からアーチ状に浮き上がって設けられる保持部と、
前記保持部の長辺方向に複数並べて形成され前記保持部の短辺方向に長い物品保持孔と、有することを特徴とする包装用緩衝部材。
【請求項２】
物品保持孔の略中央部分に物品を保持するための保持片が突出していることを特徴とする請求項１記載の包装用緩衝部材。
【請求項３】
保持片の突出長さが物品保持孔の幅寸法の６％〜９％であることを特徴とする請求項２記載の包装用緩衝部材。
【請求項４】
保持部の頂部の高さが底部から１３ｍｍ〜２０ｍｍであることを特徴とする請求項１乃至請求項３のいずれかに記載の包装用緩衝部材。
【請求項５】
底部の対向する辺に第１の縁部と第２の縁部が連なり、
前記第１の縁部と前記底部との境界の辺には挿し込みスリットが形成され、
前記第２の縁部は、前記底部とは逆側の辺に保持部が連なるとともに中心線で二つ折りされ、
前記保持部は、前記第２の縁部とは逆側の辺に前記挿し込みスリットに挿入する挿入片を備えることを特徴とする請求項１乃至請求項４のいずれかに記載の包装用緩衝部材。
【考案の詳細な説明】
【技術分野】
【０００１】
本考案は、包装用箱内に設置して略円筒状の物品を複数並べて保持する包装用緩衝部材に関するものである。
【背景技術】
【０００２】
包装用箱内に設置して物品を保持し揺れや衝撃から保護する包装用緩衝部材は、その物品の形状に応じた様々なものがごく一般的に用いられている。例えば、下記［特許文献１］には、略円筒状の医療用アンプルを保持する包装用緩衝部材が記載されている。
【先行技術文献】
【特許文献】
【０００３】
【特許文献１】特許第４９３６５３５号公報
【考案の概要】
【考案が解決しようとする課題】
【０００４】
しかしながら、［特許文献１］に記載の発明はホットメルト接着剤による弾性緩衝部を備えた波状挟持部を有しており、製造工程が複雑であることに加え平らな状態で納品できず、運搬コストが高いという問題点がある。
【０００５】
本考案は上記事情に鑑みてなされたものであり、略円筒状の物品の保持が可能で平らな状態で納品できる運搬コストの安価な包装用緩衝部材を提供することを目的とする。
【課題を解決するための手段】
【０００６】
本考案は、
（１）包装用箱１０内に設置して略円筒状の物品５を複数並べて保持する包装用緩衝部材において、前記包装用箱１０の対向する側壁１０ａに内接する縁部（第１の縁部３０ａ、第２の縁部３０ｂ）と、前記縁部間に設けられる底部３２と、前記縁部間に位置し前記底部３２の両側辺からアーチ状に浮き上がって設けられる保持部３４と、前記保持部３４の長辺方向に複数並べて形成され前記保持部３４の短辺方向に長い物品保持孔４０と、有することを特徴とする包装用緩衝部材８０を提供することにより、上記課題を解決する。
（２）物品保持孔４０の略中央部分に物品５を保持するための保持片４４が突出していることを特徴とする上記（１）記載の包装用緩衝部材８０を提供することにより、上記課題を解決する。
（３）保持片４４の突出長さＬ１が物品保持孔４０の幅寸法Ｌ２の６％〜９％であることを特徴とする上記（２）記載の包装用緩衝部材８０を提供することにより、上記課題を解決する。
（４）保持部３４の頂部の高さＨが底部から１３ｍｍ〜２０ｍｍであることを特徴とする上記（１）乃至（３）のいずれかに記載の包装用緩衝部材８０を提供することにより、上記課題を解決する。
（５）底部３２の対向する辺に第１の縁部３０ａと第２の縁部３０ｂが連なり、
前記第１の縁部３０ａと前記底部３２との境界の辺には挿し込みスリット２０が形成され、
前記第２の縁部３０ｂは、前記底部３２とは逆側の辺に保持部３４が連なるとともに中心線で二つ折りされ、
前記保持部３４は、前記第２の縁部３０ｂとは逆側の辺に前記挿し込みスリット２０に挿入する挿入片２２を備えることを特徴とする上記（１）乃至（４）のいずれかに記載の包装用緩衝部材８０を提供することにより、上記課題を解決する。
【考案の効果】
【０００７】
本考案に係る包装用緩衝部材は、一部材で形成できるため、複雑な工程が不要で包装用緩衝部材を低コストで安価に製造することができる。また、組立て前の平らな状態で納品ができるため、嵩張らず運搬コストの削減を図ることができる。
【図面の簡単な説明】
【０００８】
【図１】本考案に係る包装用緩衝部材を示す斜視図である。
【図２】本考案に係る包装用緩衝部材の展開図の一例である。
【図３】本考案に係る包装用緩衝部材を示す図である。
【考案を実施するための形態】
【０００９】
本考案に係る包装用緩衝部材８０の実施の形態を図面に基づいて説明する。ここで、図１は本考案に係る包装用緩衝部材８０の斜視図であり、図２は包装用緩衝部材８０の底面側から見た展開図である。また、図３（ａ）は包装用緩衝部材８０の上面図であり、図３（ｂ）は包装用緩衝部材８０の短辺方向から見た側面図であり、図３（ｃ）は包装用緩衝部材８０の物品保持孔４０の拡大図である。尚、図２における破線は山折りの折り曲げ線を表し、一点鎖線は谷折りの折り曲げ線を表す。
【００１０】
本考案に係る包装用緩衝部材８０は、図１に示すように、蓋７を備えた包装用箱１０内に設置して略円筒状の物品５を複数並べて保持するためのものであり、包装用箱１０の対向する側壁１０ａに内接する第１の縁部３０ａと第２の縁部３０ｂと、これら第１の縁部３０ａと第２の縁部３０ｂとの間に設けられた底部３２と、同じく第１の縁部３０ａと第２の縁部３０ｂとの間に位置し底部３２の両側辺（長辺）からアーチ状に浮き上がって設けられた保持部３４と、を有している。そして、保持部３４は、短辺方向に長い物品保持孔４０を長辺方向に複数並べて備えている。
【００１１】
また、包装用緩衝部材８０は、所定の厚紙を一体的に型抜きして１部材で形成することが好ましい。この場合、包装用緩衝部材８０は、例えば図２の展開図に示すように、底部３２の対向する辺（長辺）に第１の縁部３０ａと第２の縁部３０ｂとが折り曲げ線２４ａ、２４ｂを介して連設され、第２の縁部３０ｂの底部３２とは逆側の辺に保持部３４が折り曲げ線２４ｃを介して連設される。そして、第１の縁部３０ａと底部３２との境界の辺（折り曲げ線２４ａ）には挿し込みスリット２０が形成される。また、保持部３４における第２の縁部３０ｂと逆側の辺には上記の挿し込みスリット２０に挿入する挿入片２２が形成される。さらに、第２の縁部３０ｂの中心には折り曲げ線２４ｄが形成され、第２の縁部３０ｂはこの折り曲げ線２４ｄによって二つ折りにされる。尚、これら折り曲げ線２４ａ〜２４ｄは浅い切込や圧痕等の周知の手法で形成することが好ましい。
【００１２】
次に、図２に示す展開図の包装用緩衝部材８０の組立て方法を説明する。先ず、第２の縁部３０ｂの折り曲げ線２４ｄを山折りで二つ折りにし、第２の縁部３０ｂを形成する。このとき、第２の縁部３０ｂの二つ折り部分に接着剤を塗布して接着固定しても良い。次に、二つ折りされ重なった折り曲げ線２４ｂ、２４ｃを一緒に山折り（折り曲げ線２４ｃは谷折り）して第２の縁部３０ｂを底部３２から立ち上げる。また、折り曲げ線２４ａを山折りして第１の縁部３０ａを底部３２から立ち上げる。そして、保持部３４に形成された挿入片２２を挿し込みスリット２０に挿し込む。このとき、保持部３４の幅寸法Ｗ１は底部３２の幅寸法Ｗ２よりも長く形成されており、保持部３４は底部３２に直線的には収まりきらずアーチ状に湾曲する。これにより、図１及び図３に示す、包装用緩衝部材８０が完成する。
【００１３】
尚、図３（ｂ）に示す、底部３２から保持部３４の頂部までの高さ寸法Ｈに関しては特に限定は無く、物品５の径や形状等に応じて適宜設定して良い。ただし、物品５が医療用カートリッジや医療用アンプルの場合には、高さ寸法Ｈを１３ｍｍ〜２０ｍｍ程度とすることが好ましい。
【００１４】
また、保持部３４の物品保持孔４０は、前述のように保持部３４の短辺方向に長く形成された長楕円孔もしくは長孔であり、長さ寸法及び幅寸法は物品５に応じて適宜設定される。そして、図３（ｃ）に示すように、物品保持孔４０の略中央部分には物品５を押圧して固定するための保持片４４が突出している。この保持片４４の突出長さＬ１は短過ぎると物品５を十分に保持できず、長過ぎると折れ曲がるなどして保持機能を失う。よって、保持片４４の突出長さＬ１は物品保持孔４０の幅寸法Ｌ２の６％〜９％とすることが好ましい。
【００１５】
尚、略円筒状の物品５としては、上記の医療用カートリッジや医療用アンプルの他に、万年筆やボールペン等の筆記用具、絵の具、菓子類、化粧品、蛍光ランプ、飲料瓶等、略円筒状を呈していれば如何なるものとしても良い。
【００１６】
以上のように、本考案に係る包装用緩衝部材８０は、一枚の厚紙を打ち抜き、これを組み立てることで形成するため、複雑な工程が不要で包装用緩衝部材８０を低コストで安価に製造することができる。また、組立て前の平らな状態で納品が可能なため嵩張らず、運搬コストの削減と保管時の省スペース化とを図ることができる。また、保持部３４の物品保持孔４０には保持片４４が形成されており、この保持片４４が物品５を押圧保持して物品５の脱落を防止することができる。さらに、本考案に係る包装用緩衝部材８０は、保持部３４がアーチ状を呈し優れたデザイン性を有するとともに、物品５の上下端が露出して物品５を容易に取り出すことができる。
【００１７】
尚、上記に示した包装用緩衝部材８０の各部の構成、形状、デザイン、寸法、展開図等は一例であるから、上記の例に限定されるわけでは無く、本考案は本考案の要旨を逸脱しない範囲で変更して実施することが可能である。
【符号の説明】
【００１８】
５      物品
１０    包装用箱
１０ａ  側壁
２０    挿し込みスリット
２２    挿入片
３０ａ  第１の縁部
３０ｂ  第２の縁部
３２    底部
３４    保持部
４０    物品保持孔
４４    保持片
８０    包装用緩衝部材
【図１】
0003198919.tif 000003
【図２】
0003198919.tif 000004
【図３】
0003198919.tif 000005